(57)【要約】【課題】  曲率半径が小さくカールが強い単板であっても、単板を詰まらせることなくスムーズに搬送し、単板のカールを平坦に矯正することができるカール矯正装置を提供する。【解決手段】  搬送コンベア１０により第一突刺ロール３０へ搬送されてきた単板１００は、ローラ６０の第一単板押圧部６０ａに押圧されて突刺体３０ａに刺着された状態で第一突刺ロール３０により駆動される。単板１００が第二突刺ロール４０へと受け渡される際、搬送の向きがカールの方向と反対の向きに変わることにより単板１００は谷折りに屈曲され、単板下面の裏割れを助長するとともに新たな微細な割れを多数発生させ、以て単板のカールが平坦に矯正される。単板１００は、第二単板押圧部６０ｃに押圧されて突刺体４０ａに刺着された状態で第二突刺ロール４０によって駆動され、排出コンベア２０を通じて排出される。【選択図】図４
2015107561.tif 000002
【特許請求の範囲】
【請求項１】
単板を搬送しながら前記単板のカールを平坦に矯正する装置であって、
前記単板を駆動して搬送するための二つの搬送部材であって、前記単板の搬送方向の上流側に位置する第一搬送部材及び前記単板の搬送方向の下流側に位置する第二搬送部材と、
前記単板を前記第一搬送部材に押圧するための第一押圧部材と、
前記単板を前記第二搬送部材に押圧するための第二押圧部材と、を有しており、
前記第一搬送部材及び前記第二搬送部材はその外縁に多数の突刺体を有しており、前記第一搬送部材の前記多数の突刺体の先端を結んだ第一仮想線の一部と、前記第二搬送部材の前記多数の突刺体の先端を結んだ第二仮想線の一部が、搬送方向において交差する部分を有し、且つ、前記第一搬送部材により搬送されてきた前記単板が前記第二搬送部材に受け渡された際に、前記単板の搬送の向きが前記単板のカールの方向と反対の向きに変わるように配置されており、
前記第一押圧部材は、前記第一仮想線と、前記第一押圧部材のうち前記第一仮想線との距離が最も近い部分である第一単板押圧部との間隔が、前記単板の厚みよりも小となる位置に配置されており、
前記第二押圧部材は、前記第二仮想線と、前記第二押圧部材のうち前記第二仮想線との距離が最も近い部分である第二単板押圧部との間隔が、前記単板の厚みよりも小となる位置に配置されている、
単板のカール矯正装置。
【請求項２】
前記第一押圧部材から前記第二押圧部材に向かって前記単板を案内するガイド面を有するガイド部材を更に有しており、
前記ガイド部材は、前記第一押圧部材と前記第二押圧部材との間に配置され、前記ガイド部材の前記ガイド面は、前記第一単板押圧部と前記第二単板押圧部とを結んだ第三仮想線から、前記第一仮想線と前記第二仮想線とが交差する点に向かって凸状に形成されている、
請求項１記載のカール矯正装置。
【請求項３】
前記第一押圧部材と前記第二押圧部材と前記ガイド部材とが一つの部材で構成されている、
請求項２記載の単板のカール矯正装置。
【請求項４】
前記ガイド面が円弧形状となっている、
請求項２または３記載の単板のカール矯正装置。
【請求項５】
前記第一押圧部材と前記第二押圧部材と前記ガイド部材とが一つの回転可能なローラで構成されている、
請求項３記載の単板のカール矯正装置。
【請求項６】
前記第一押圧部材、前記第二押圧部材または前記ガイド部材の少なくとも一つが回転可能なローラで構成されている、
請求項２記載の単板のカール矯正装置。
【請求項７】
前記第一搬送部材または前記第二搬送部材の少なくとも一方が、その外周に多数の突刺体を有する回転部材で構成されている、
請求項１乃至６のいずれかの項記載の単板のカール矯正装置。
【請求項８】
前記第二搬送部材から前記単板を剥がすための第一抜針部材を更に有しており、
前記第一抜針部材は、前記第二搬送部材の前記単板の搬送方向の下流側に設けられている、
請求項１乃至７のいずれかの項記載の単板のカール矯正装置。
【請求項９】
前記第一搬送部材から前記単板を剥がすための第二抜針部材を更に有しており、
前記第二抜針部材は、前記第一搬送部材の前記単板の搬送方向の下流側に設けられている、
請求項８記載の単板のカール矯正装置。
【請求項１０】
前記第一搬送部材と前記第二搬送部材とが、前記単板の搬送方向と直交する方向に所定の間隔を隔てて複数配置されている、
請求項１乃至９のいずれかの項記載の単板のカール矯正装置。
【請求項１１】
その外縁に多数の突刺体を有する第一搬送部材及び第二搬送部材と、
前記第一搬送部材の前記多数の突刺体の先端を結んだ第一仮想線と、前記第一仮想線との距離が最も近い部分である第一単板押圧部との間隔が、前記単板の厚みよりも小となる位置に配置されている第一押圧部材と、
前記第二搬送部材の前記多数の突刺体の先端を結んだ第二仮想線と、前記第二仮想線との距離が最も近い部分である第二単板押圧部との間隔が、前記単板の厚みよりも小となる位置に配置されている第二押圧部材と、
を有する単板のカール矯正装置において実行される方法であって、
前記単板を前記第一搬送部材により駆動して搬送し、
前記第一押圧部材により、前記単板を前記第一搬送部材に押圧し、
前記第一搬送部材により搬送されてきた前記単板を前記第二搬送部材に受け渡すとともに、前記単板の搬送の向きを前記単板のカールの方向と反対の向きに変化させ、
前記単板を前記第二搬送部材に押圧し、前記第二搬送部材により搬送する、
単板のカール矯正方法。
【発明の詳細な説明】
【技術分野】
【０００１】
本発明は、円筒状にカールしたベニヤ単板を平坦に矯正する装置及びその矯正方法に関するものである。
【背景技術】
【０００２】
合板製造の過程において、ベニヤレースなどの単板切削機によって原木から単板を切削した場合、単板がカールする現象が生ずる場合がある。このようなカールが発生する要因の一つは、図２１に示されるように、原木１０１が回転し切削刃物１０２によって単板１００が切削される際、切削刃物１０２が当たったところから単板１００の繊維方向に裏割れ１００ａが発生することにあり、この場合、繊維方向に直交して曲率半径の大きい比較的緩やかなカールが発生する。また、カールが発生する別の要因としては、原木１０１の切削が中心部１０１ａへと進むにつれ、もともとの原木の形状に倣ってカールが発生することにあり、この場合、図２２に示されるように、中心部１０１ａに近づくにつれ、繊維方向に直交して単板の反裏割れ側を凸面とする曲率半径の小さい比較的強いカールが発生する。
【０００３】
このような切削時の裏割れに起因して生じた単板のカールを平坦に矯正する装置については、特許文献１或いは２などに開示されている。
特許文献１には、図１９に示すように、大径軟質の駆動ローラ２０１と、一対の小径硬質の従動ローラ２０２ａ、２０２ｂとによって構成される装置が開示されており、この装置は、駆動ローラ２０１と従動ローラ２０２ａ、２０２ｂとの間に単板を屈曲させるための屈曲部２１５が形成されている。本装置によれば、カールの凸面を下側にして載置された単板１００が両ローラの間を通過する際、屈曲部２１５において単板１００がカールの方向と反対の向き（山折り）に曲げられるため、単板の反裏割れ側に微細な割れが発生し、裏割れ側と反裏割れ側の応力が釣り合うことによって単板１００のカールが矯正される。
【０００４】
一方、特許文献２には、図２０に示すように、植針チェーン３０１、抜針部材３０２、水平支持部材３０３、及び一対の押圧ローラ３０４ａ、３０４ｂによって構成される装置が開示されており、この装置は、水平支持部材３０３の先端において抜針部材３０２との間で屈曲部３１５が形成されている。本装置によれば、カールの凸面を下側にして載置された単板１００が下流側に搬送されると押圧ローラ３０４ａと３０４ｂとに挟まれることによって植針チェーン３０１に刺着され、更に下流側に搬送されると前記屈曲部３１５において単板１００がカールの方向と反対の向き（山折り）に曲げられる。そのため、単板の反裏割れ側に微細な割れが発生し、裏割れ側と反裏割れ側の応力が釣り合うことによって単板１００のカールが矯正される。
【先行技術文献】
【特許文献】
【０００５】
【特許文献１】特開昭６０−２１４９０１号公報
【特許文献１】特公昭６２−４７６８２号公報
【発明の概要】
【発明が解決しようとする課題】
【０００６】
これらの特許文献１及び２に開示される装置によれば、切削時の裏割れに起因して生ずる曲率半径の大きい緩やかなカールであればある程度矯正することが可能である。
しかしながら、特許文献１の装置は、駆動ローラ２０１と単板１００との摩擦力を利用して単板１００を駆動させるものであるため、単板１００のカールの曲率半径が小さくカールが強い場合は、摩擦力が足りずに駆動ローラ２０１が空転してしまい、駆動力不足となって単板１００が両ローラの間で詰まってしまうおそれがあった。
また、特許文献２の装置は、植針チェーン３０１によるせん断力を利用して単板１００を搬送するため上述のような空転の問題は生じ難いが、単板の抵抗力が最も大きくなる屈曲部３１５付近に駆動力がないため、単板１００のカールが強いと抵抗に負けて単板１００が詰まってしまうおそれがあった。  
【０００７】
本発明は、以上の問題点を解決するためになされたものであり、曲率半径が小さく強いカールの単板であっても、単板を詰まらせることなくスムーズにカールを矯正する装置を提供することを課題とする。
【課題を解決するための手段】
【０００８】
上記課題を解決するために、本願発明者は、以下のような単板のカール矯正装置を提供する。
【０００９】
本発明は単板を搬送しながら前記単板のカールを平坦に矯正する、単板のカール矯正装置である。この装置は、前記単板を駆動して搬送するための二つの搬送部材であって、前記単板の搬送方向の上流側に位置する第一搬送部材及び前記単板の搬送方向の下流側に位置する第二搬送部材と、前記単板を前記第一搬送部材に押圧するための第一押圧部材と、前記単板を前記第二搬送部材に押圧するための第二押圧部材と、を有しており、前記第一搬送部材及び前記第二搬送部材はその外縁に多数の突刺体を有しており、前記第一搬送部材の前記多数の突刺体の先端を結んだ第一仮想線の一部と、前記第二搬送部材の前記多数の突刺体の先端を結んだ第二仮想線の一部が、搬送方向において交差する部分を有し、且つ、前記第一搬送部材により搬送されてきた前記単板が前記第二搬送部材に受け渡された際に、前記単板の搬送の向きが前記単板のカールの方向と反対の向きに変わるように配置されており、前記第一押圧部材は、前記第一仮想線と、前記第一押圧部材のうち前記第一仮想線との距離が最も近い部分である第一単板押圧部との間隔が、前記単板の厚みよりも小となる位置に配置されており、前記第二押圧部材は、前記第二仮想線と、前記第二押圧部材のうち前記第二仮想線との距離が最も近い部分である第二単板押圧部との間隔が、前記単板の厚みよりも小となる位置に配置されている。
このような単板のカール矯正装置によれば、第一搬送部材と第一押圧部材との間隔、および第二搬送部材と第二押圧部材との間隔が単板の厚みより狭い部分を有しているので、単板がその部分を通過する際、突刺体に向けて押圧され、単板は突刺体に刺着された状態で搬送される。このため、搬送方向に連続して配置された二つの搬送部材によって上流から下流に亘る広い領域で単板に駆動力を連続的に伝えることができるため、曲率半径が小さく強いカールの単板であっても搬送の過程で単板が詰まることを防止することができる。さらに、第一搬送部材から第二搬送部材へと単板が受け渡された際、単板の搬送の向きがカールの方向と反対の向きに変わって単板が谷折りに屈曲されることにより既存の裏割れが助長され、且つ、新たな微細な割れを多数発生させることによって単板のカールを平坦に矯正することができる。
【００１０】
上記と同様の目的は、以下の方法によっても達成することができる。
即ち、その外縁に多数の突刺体を有する第一搬送部材及び第二搬送部材と、前記第一搬送部材の前記多数の突刺体の先端を結んだ第一仮想線と、前記第一仮想線との距離が最も近い部分である第一単板押圧部との間隔が、前記単板の厚みよりも小となる位置に配置されている第一押圧部材と、前記第二搬送部材の前記多数の突刺体の先端を結んだ第二仮想線と、前記第二仮想線との距離が最も近い部分である第二単板押圧部との間隔が、前記単板の厚みよりも小となる位置に配置されている第二押圧部材と、を有する単板のカール矯正装置において実行される方法であって、前記単板を前記第一搬送部材により駆動して搬送し、前記第一押圧部材により前記単板を前記第一搬送部材に押圧し、前記第一搬送部材により搬送されてきた前記単板を前記第二搬送部材に受け渡すとともに、前記単板の搬送の向きを前記単板のカールの方向と反対の向きに変化させ、前記単板を前記第二搬送部材に押圧し、前記第二搬送部材により搬送する方法である。
【００１１】
また、このような単板のカール矯正装置は、前記第一押圧部材から前記第二押圧部材に向かって前記単板を案内するガイド面を有するガイド部材を更に有しており、前記ガイド部材は、前記第一押圧部材と前記第二押圧部材との間に配置され、前記ガイド部材の前記ガイド面は、前記第一単板押圧部と前記第二単板押圧部とを結んだ第三仮想線から、前記第一仮想線と前記第二仮想線とが交差する点に向かって凸状に形成されていてもよい。
このようなガイド部材を有しない場合、単板が第二搬送部材に受け渡された際、単板の性質によっては、単板が第一搬送部材の突刺体から連鎖的に抜けるおそれがあるが、このようなガイド部材を有する単板のカール矯正装置によれば、単板はガイド部材のガイド面に案内されるため連鎖的に突刺体から抜けることがなくなり、単板の曲率半径を維持しつつ第二押圧部材へと単板を導くことが可能となる。
【００１２】
また、このような単板のカール矯正装置においては、前記第一押圧部材と前記第二押圧部材と前記ガイド部材とが一つの部材で構成されていてもよい。
この場合、簡易な構成により単板のカールを矯正することが可能となる。
【００１３】
前記第一押圧部材と前記第二押圧部材と前記ガイド部材とが一つの部材となる構成として、例えば、前記ガイド面が円弧形状となる構成のものが考えられる。ガイド面を円弧形状とすればガイド面にエッジ部分が無くなるため、安定した単板の搬送が可能となる。
また、前記第一押圧部材と前記第二押圧部材と前記ガイド部材とが一つの回転可能なローラで構成されているものでもよい。このように構成した場合、単板が搬送されるとローラが従動的に回転しながら単板の押圧とガイドを行うことができるため、より摩擦抵抗を低減することができる。
【００１４】
また、本発明の単板のカール矯正装置においては、前記第一押圧部材、前記第二押圧部材または前記ガイド部材の少なくとも一つが回転可能なローラで構成されていてもよい。
かかる構成とした場合、摩擦抵抗を低減しつつ、第一押圧部材、第二押圧部材、ガイド部材ごとに第一搬送部材又は第二搬送部材との間隔をそれぞれ調整することができるため、単板の厚みやカールの状態等に応じてより細やかな位置設定が可能となる。
【００１５】
また、このような単板のカール矯正装置においては、前記第一搬送部材または前記第二搬送部材の少なくとも一方が、その外周に多数の突刺体を有する回転部材で構成されていてもよい。
この場合、簡単な構成により単板に駆動力を与えて搬送させることができる。
【００１６】
また、このような単板のカール矯正装置において、前記第二搬送部材の前記単板の搬送方向の下流側に、前記第二搬送部材から前記単板を剥がすための第一抜針部材を設けてもよい。
このような第一抜針部材を有するカール矯正装置によれば、単板を第二搬送部材の突刺体から剥がして下流側の排出コンベアへとスムーズに受け渡すことが可能となる。
【００１７】
更に、上記の単板のカール矯正装置において、前記第一搬送部材の前記単板の搬送方向の下流側に、前記第一搬送部材から前記単板を剥がすための第二抜針部材を設けてもよい。
このような第二抜針部材を有するカール矯正装置によれば、第二抜針部材によって第一搬送部材の突刺体から単板が剥がされるため、すでに突刺体から抜針された単板を第二搬送部材によって搬送することとなる。そのため、第二搬送部材の駆動力を利用して第一搬送部材からの抜針を行うよりも単板に突刺体の傷がつきにくくなる。  
【００１８】
また、このような単板のカール矯正装置において、前記第一搬送部材と前記第二搬送部材とを前記単板の搬送方向と直交する方向に所定の間隔を隔てて複数配置してもよい。
このような構成とした場合、駆動力を分散して単板に伝えることができるので、単板を壊すことなく平坦に矯正することが可能となる。
【発明の効果】
【００１９】
本発明によれば、単板に駆動力を連続的に伝えながら単板を屈曲させることができるので、曲率半径が小さく強いカールの単板であっても搬送の過程で単板を詰まらせることなくスムーズに単板のカールを矯正することができる。
【図面の簡単な説明】
【００２０】
【図１】カール矯正装置の右側面図
【図２】カール矯正装置の平面図（ローラ及び支持台を除く。）
【図３】カール矯正装置の正面図（搬入コンベア、排出コンベア、ハガシを除く。）
【図４】図１のカール矯正装置の押圧部付近の部分拡大図
【図５】図１のカール矯正装置のハガシ付近の部分拡大図
【図６】単板を図１のカール矯正装置の搬入コンベアに載置した状態を示す図
【図７】単板の先端が屈曲部に到達する直前の状態を示す図
【図８】単板の先端が屈曲部を通過するときの状態を示す図
【図９】単板の後端が屈曲部を通過した直後の状態を示す図
【図１０】単板がハガシによって抜針されたときの状態を示す図
【図１１】変更例となるカール矯正装置の押圧部付近の部分拡大図
【図１２】変更例となるカール矯正装置の押圧部付近の部分拡大図
【図１３】変更例となるカール矯正装置の押圧部付近の部分拡大図
【図１４】変更例となるカール矯正装置の押圧部付近の部分拡大図
【図１５】変更例となるカール矯正装置の押圧部付近の部分拡大図
【図１６】変更例となるカール矯正装置の押圧部付近の部分拡大図
【図１７】変更例となるカール矯正装置の押圧前の状態を示す図
【図１８】変更例となるカール矯正装置の押圧時の状態を示す図
【図１９】特許文献1に示す従来のカール矯正装置の側面図
【図２０】特許文献２に示す従来のカール矯正装置の側面図
【図２１】原木から単板が切削される状態を示す図
【図２２】原木から切削された単板を示す図
【発明を実施するための形態】
【００２１】
以下、本発明の単板のカール矯正装置１及びその矯正方法の好ましい実施形態を、図面を参照しながら詳細に説明する。
【００２２】
本実施形態における単板のカール矯正装置は、概略で図１乃至図５に示すように構成される。なお、図１に記載された矢印Iの方向から見た装置を正面として説明する。よって図１、図４及び図５は、右側面図（或いはその部分拡大図）、図２は平面図（説明の便宜上、図２においてはローラ６０及び支持台６１を省略している。）、図３は正面図（説明の便宜上、図３においては搬入コンベア１０及び排出コンベア２０を省略している。）となる。また、右側面図において、単板は左から右（矢印Iの方向）へ搬送されるものとし、左側を上流、右側を下流として説明する。
【００２３】
これらの図面に示されるように、本実施形態のカール矯正装置１は、搬入コンベア１０、排出コンベア２０、第一突刺ロール３０、第二突刺ロール４０、ハガシ５０、及びローラ６０を備えている。
搬入コンベア１０は、単板１００を載置して第一突刺ロール３０へと搬送するためのコンベアであり、排出コンベア２０は、第二突刺ロール４０によって搬送された単板１００を更に下流へと搬送するためのコンベアである。第一突刺ロール３０は、単板１００を駆動して搬送するための搬送部材であり、その外周に多数の突刺体３０ａを有する円盤状の回転部材である。第二突刺ロール４０は、単板１００を駆動して搬送するための搬送部材であり、その外周に多数の突刺体４０ａを有する円盤状の回転部材である。ハガシ５０は、突刺体４０ａに刺さった単板１００を第二突刺ロール４０から剥がすための抜針部材である。ローラ６０は、第一突刺ロール３０と第二突刺ロール４０とに向かって単板１００を押圧し、更に、第一突刺ロール３０から第二突刺ロール４０へと単板１００を案内する丸棒状の軸部材である。
【００２４】
図２に示すように、第一突刺ロール３０は、搬送方向Ｉと直交方向に伸びる回転軸３１上にその長手方向に所定の間隔を置いて複数配置されている。第二突刺ロール４０は、回転軸３１と平行に設置された回転軸４１上にその長手方向に所定の間隔を置いて複数配置されている。このように第一突刺ロールと第二突刺ロールとは、所定の間隔を置いて複数配置されているので駆動力を分散して単板に伝えることができ、単板を壊すことなく平坦に矯正することができる。なお、第一突刺ロール３０及び第二突刺ロール４０は、それぞれ一つとしてもよいし、複数でもよく、複数とした場合の間隔は一定であってもよいし、一定でなくてもよい。
回転軸３１は軸受け３２によって、回転軸４１は軸受け４２によって回転可能にそれぞれ支持されている。回転軸３１及び回転軸４１は、ローラーチェーン（図示せず）によって連結されており、一つのモータの駆動によって同時に時計回りに回転する構成となっている。
第一突刺ロール３０は単板の搬送方向Ｉの上流側に、第二突刺ロール４０はその下流側に設けられている。また、第一突刺ロール３０の下流側の外周縁と、第二突刺ロール４０の上流側の外周縁とは、図１に示すように、右側面から見たときに搬送方向において交差するように配置されるとともに、図２及び図３に示すように隣接して設けられており、後述するように、単板１００が第一突刺ロール３０から第二突刺ロール４０へと受け渡される際に、単板１００の向きがカールの方向と反対の向きに変わるように配置されている。
【００２５】
ローラ６０は、図３及び図４に示すように、回転軸３１及び回転軸４１と平行となる一本の軸部材で構成されており、図４に示すように、第一単板押圧部６０ａ、第二単板押圧部６０ｂ、ガイド面６０ｃを有している。この第一単板押圧部６０ａは、ローラ６０の外周において、第一突刺ロール３０の複数の突刺体３０ａの先端を結んだ仮想の外周線（以下、「第一仮想線Ｘ」という。）との間隔が最も狭くなる部分である。第二単板押圧部６０ｂは、ローラ６０の外周において、第二突刺ロール４０の複数の突刺体４０ａの先端を結んだ仮想の外周線（以下、「第二仮想線Ｙ」という。）との間隔が最も狭くなる部分である。ガイド面６０ｃは、第一単板押圧部６０ａから第二単板押圧部６０ｂにかけての円弧部分である。このローラ６０は、図４に示すように、第一仮想線Ｘと第二仮想線Ｙとが交差する略Ｖ字状の谷となる地点Ｐの上方であって、上流側押圧部分の間隔（第一仮想線Ｘと第一単板押圧部６０ａとの間隔）及び下流側押圧部分の間隔（第二仮想線Ｙと第二単板押圧部６０ｂとの間隔）が、いずれも単板１００の厚みより小となる（つまり、狭くなる）位置に配置されている。
また、このローラ６０のガイド面６０ｃは、第一単板押圧部６０ａと第二単板押圧部６０ｂとを結んだ第三仮想線Ｚから、上述の地点Ｐに向かって凸となる円弧形状を形成している。
このような構成のローラ６０は、支持台６１によって回転自在に支持されており、ローラ６０と支持台６１は回転抵抗を低減すべく滑り軸受け（図示せず）によって支持されている。また、支持台６１は、鉛直方向及び搬送方向に調整自在にフレーム（図示せず）に固定されている。
【００２６】
ハガシ５０は、図１に示すように上下を逆にした略Ｌ字型の形状の抜針部材であり、その下端部は台４３に固定されている。このハガシ５０の上端部は、単板当接面５０ａとなっており、この単板当接面５０ａは、図５に示すように、第二突刺ロール４０の下流側において第二仮想線Ｙと交差する位置に配置される。また、ハガシ５０は、図２に示すように、複数配置された第二突刺ロール４０の数に応じて複数配置される。なお、本実施形態では、ハガシ５０は、その単板当接面５０ａが接線Ｆ−Ｆ（第二突刺ロール４０と単板当接面５０ａとが交差する地点における第二仮想線Ｙの接線）に対しておよそ１５０度の鈍角となるように設けられている。
【００２７】
搬入コンベア１０は、図１に示すように、上流から下流に向かって駆動する搬送ベルト１１及びホイール１２により構成される。このコンベア１０は、図２に示すように、二つの搬入コンベア１０が適宜間隔をあけて並列に配置されている。
【００２８】
排出コンベア２０は、図１に示すように、上流から下流に向かって駆動する搬送ベルト２１及びホイール２２により構成される。この排出コンベアは、図２に示すように、二つの排出コンベア２０が適宜間隔をあけて並列に配置されている。また、本実施形態においては、図５に示すように、搬送ベルト２１の単板当接面２１ａは、ハガシ５０における単板当接面５０ａより低い位置となるよう配置される。
【００２９】
次に、以上のような構成の本実施形態の単板のカール矯正装置１によって一枚のカールした単板が平坦に矯正されるまでの流れについて説明する。
最初に、第一突刺ロール３０及び第二突刺ロール４０を右側面から見て時計回りの方向に駆動させ、搬入コンベア１０及び排出コンベア２０を単板の搬送方向である上流から下流へ向けて走行させておく。第一突刺ロール３０、第二突刺ロール４０、搬入コンベア１０及び排出コンベア２０による単板の搬送の速さは、手動で単板を載置する場合は１分間に１０〜２０ｍとするのが好ましいが、ベニヤレース（原木切削装置）の搬送ラインに直結する場合は、ベニヤレースの切削速度に従って１分間に９０ｍ程度としてもよい。
【００３０】
この状態において、図６に示すように、搬入コンベア１０の搬送ベルト１１の上に単板１００を載置する。その際、単板１００は、その繊維方向が搬送方向に直交し、且つ、カールの凸側が上面、裏割れ側が下面となるよう載置される。搬送ベルト１１の上に載置された単板１００は、搬入コンベア１０によって下流側へ搬送されると、単板１００の下流側先端から第一突刺ロール３０へ受け渡され、時計回りに駆動する第一突刺ロール３０の突刺体３０ａに当接しつつ更に下流側へと搬送される。この際、単板１００のカールしている凸状の部分が浮いてしまって突刺体３０ａに当接しない場合は、手作業又は挿入ガイド（図示せず）を用いて単板１００に対し突刺体３０ａの方向に荷重をかけて突刺体３０ａに当接させるようにしてもよい。
【００３１】
上流側押圧部分の間隔は単板１００の厚みよりも小となっているため、図７に示すように、ローラ６０へと搬送されてきた単板１００は、第一単板押圧部６０ａに徐々に押圧される。この際、第一突刺ロール３０の外周縁には多数の突刺体３０ａがあるので、単板１００は搬送されながら順次突刺体３０ａに刺着され、第一突刺ロール３０の外周に沿って下流へと搬送される。そのため、第一突刺ロール３０は空転することなく単板１００を滞りなく搬送する。また、ローラ６０は、単板１００の移動に伴って従動的に反時計回りに回転するため、搬送による摩擦抵抗が低減される。
【００３２】
第一突刺ロール３０の下流側の外周縁と、第二突刺ロール４０の上流側の外周縁とは、上述のように、右側面から見て交差するように配置されており、略Ｖ字状の搬送経路を形成する。そのため、図８に示すように、単板１００が突刺体３０ａに刺着された状態で第一突刺ロール３０の下流側の地点Ｐへ搬送されると、第二突刺ロール４０の上流側外周に進路を妨げられるため、地点Ｐにおいて単板１００の搬送の向きがカールの方向とは反対の向きに変わる。そして、単板１００が第二突刺ロール４０に受け渡されると、第二突刺ロール４０の駆動によって突刺体３０ａから順次抜針される。本実施形態では、この地点Ｐの上方にローラ６０が配置されており、このローラ６０における第一単板押圧部６０ａから第二単板押圧部６０ｂの間にはガイド面６０ｃが存在するため、単板１００は、このガイド面６０ｃに当接することによって、上流側の単板１００が突刺体３０ａから連鎖的に抜けることがないまま第二単板押圧部６０ｂへと案内されていく。
このように、第一突刺ロール３０と第二突刺ロール４０とによって連続して駆動される単板１００は、第一突刺ロール３０と第二突刺ロール４０の外周に沿って搬送され、搬送の過程において上面が凸にカールしていた単板１００が、略Ｖ字状の搬送経路の谷の地点Ｐにおいてカールの方向とは反対の向きに搬送の角度が変わることによって谷折りに屈曲される。その際、図４に示すように、単板１００の下面側の既存の裏割れ１００ａが助長され、且つ、新たに微細な割れ１００ｂを多数発生させて単板のカールが平坦に矯正される。
なお、第一突刺ロール３０によって搬送されてきた単板１００が、第二突刺ロール４０に受け渡される際に変わる単板の搬送の角度は、単板１００のカールの方向と反対の向きに変わる角度であればどのような角度でも良い。
【００３３】
下流側押圧部分の間隔は単板１００の厚みより小となっているため、第二突刺ロール４０へと搬送されてきた単板１００は、第二単板押圧部６０ｂに徐々に押圧される。この際、第二突刺ロール４０の外周縁には多数の突刺体４０ａがあるので、単板１００は搬送されながら順次突刺体４０ａに刺着され、図９に示すように、第二突刺ロール４０の外周に沿って下流へと搬送される。そのため、第二突刺ロール４０は空転することなく滞りなく単板１００を搬送する。
【００３４】
突刺体４０ａに刺着された状態で第二突刺ロール４０の外周に沿って搬送されてきた単板１００は、ハガシ５０によって再び進路が妨害され、図１０に示すように、ハガシ５０の単板当接面５０ａと当接することによって突刺体４０ａから抜針される。本実施形態では、上述のように、第二仮想線Ｙの接線Ｆ−Ｆと単板当接面５０ａとのなす角Ｑがおよそ１５０度の鈍角となるよう構成されているため（図５）、単板１００を壊すことなく突刺体４０ａより剥がすことができる。ハガシ５０によって突刺体４０ａより抜針された単板１００は、排出コンベア２０によって下流方向へと搬送される。
【００３５】
このように、本実施形態の単板のカール矯正装置１によれば、単板１００は、ローラ６０の第一単板押圧部６０ａに押圧されて第一突刺ロール３０の突刺体３０ａに刺着され、第一突刺ロール３０の駆動によって第二突刺ロール４０へと受け渡されるが、その際、単板１００の搬送の向きがカールの方向と反対の向きに変わることによって谷折りに屈曲される。そして、単板１００は、第二単板押圧部６０ｂに押圧されて第二突刺ロール４０の突刺体４０ａに刺着され、第二突刺ロール４０の駆動によって排出コンベア２０へ向かって搬送される。そのため、単板１００への駆動力を余すことなく二つの突刺ロールによって連続して伝えることができるため、曲率半径が小さく強いカールの単板であっても搬送の過程で単板が詰まることを防止することができる。さらに、単板を谷折りに屈曲させることによって既存の裏割れが助長され、且つ、新たな微細な割れを多数発生させることによって単板のカールを平坦に矯正することができる。
【００３６】
また、本実施形態のカール矯正装置１は、ガイド面６０ｃを有するので、単板１００は、このガイド面６０ｃに当接することによって、上流側の単板１００が突刺体３０ａから連鎖的に抜けることがないまま第二単板押圧部６０ｂへと案内される。そのため、突刺体３０ａに刺さった状態が地点Ｐの近くまで維持されることとなり、屈曲部分の曲率半径が大きくなることを防止できる。
【００３７】
また、本実施形態のカール矯正装置１はハガシ５０を有し、第二突刺ロール４０によって搬送されてきた単板１００は、その下流側でハガシ５０の単板当接面５０ａに当接することによって突刺体４０ａから抜針される。これにより、単板１００をスムーズに排出コンベア２０へと搬送することが可能となる。
【００３８】
なお、以上の本実施形態においては、回転軸３１及び回転軸４１は、ローラーチェーン（図示せず）によって連結されており、一つのモータ（図示せず）の駆動によって二つの回転軸が同時に時計回りに回転する構成となっているが、二つのモータによって回転軸３１及び回転軸４１を各々駆動させてもよい（図示せず）。このように構成すれば、二つの回転軸の回転速度に速度差を設けることができるため、単板に応じたより細やかな搬送速度の調整が可能となる。
【００３９】
また、第一押圧部材及び第二押圧部材、更にはガイド部材を一つの部材で構成するものの一例として、本実施形態では、搬送方向と直交方向に伸びる一本の軸部材であるローラ６０を用いているが、必ずしもローラを用いる必要はなく、例えば、図１１に示すように、第一単板押圧部６２ａから第二単板押圧部６２ｂにかけてのガイド面６２ｃが円弧形状となっている円弧部材６２を用いるものであってもよい。
このように、第一押圧部材と第二押圧部材とガイド部材とを一つの部材で構成させれば、簡易な構成によって単板のカールの矯正を実現することができる。また、ガイド面を円弧形状とすればガイド面にエッジ部分が無くなるため安定した単板の搬送が可能となり、さらに、回転可能なローラを用いれば、単板との摩擦をより軽減することができる。
【００４０】
また、本実施形態では、第一押圧部材及び第二押圧部材、更にはガイド部材を一つの部材で構成しているが、それぞれの部材を別に設けてもよい。例えば、図１２に示すように、回転自在に支持台６６に支持された一本の第一押圧ローラ６３を第一突刺ロール３０側に配置し、回転自在に支持台６６に支持された一本の第二押圧ローラ６４を第二突刺ロール４０側に配置し、回転自在に支持台６６に支持された一本のガイドローラ６５を第一押圧ローラ６３と第二押圧ローラ６４との間に設ける構成としてもよい。かかる構成によれば、上流側押圧部分の間隔、下流側押圧部分の間隔、地点Ｐとガイド部材との間隔をそれぞれ別に調整することが可能となるため、単板に応じたより細やかな設定が可能となる。
【００４１】
また、本実施形態では、第一搬送部材として第一突刺ロール３０を、第二搬送部材として第二突刺ロール４０を用いており、第一突刺ロール３０の下流側の外周縁と、第二突刺ロール４０上流側の外周縁とは、搬送方向において交差する部分を有するように配置されており、第一突刺ロール３０と第二突刺ロール４０とによって単板を連続的に搬送する連続搬送部を構成しているが、このような連続搬送部となるような構成であれば必ずしも突刺ロールを用いた構成でなくともよく、いずれか一方、若しくは両方が、外縁に多数の突刺体を有する植え針チェーンなどの搬送部材であってもよい。すなわち、図１３に示すように、第二突刺ロール４０に代えて、多数の突刺体４５ａを有する植え針チェーン４５を用いた構成、または、図１４に示すように、第一突刺ロール３０に代えて、多数の突刺体３５ａを有する植え針チェーン３５を用いた構成、更には、図１５に示すように、第一突刺ロール３０に代えて植え針チェーン３５を用いると共に、第二突刺ロール４０に代えて植え針チェーン４５を用いた構成でも実施可能である。
【００４２】
また、図１６に示すように、第一突刺ロール３０の単板搬送方向の下流側の位置に抜針部材としてハガシ５１を設置してもよい。このような構成とした場合、突刺体３０ａに刺着された状態で第一突刺ロール３０の外周に沿って搬送されてきた単板１００は、ハガシ５１によって進路を妨げられることとなるため、ハガシ５１の単板当接面５１ａと当接することよって突刺体３０ａから剥がされた後に、第二突刺ロール４０へと搬送される。このように、単板１００を突刺体３０ａから剥がす作業を第二突刺ロール４０に行わせることなくハガシ５１に行わせる構成とすれば、突刺体３０ａから単板を抜針する工程を第二突刺ロール４０による搬送の工程から切り離すこととなるため、より小さな駆動力でスムーズに単板のカールを矯正することが可能となる。
【００４３】
また、支持台６１はフレーム（図示せず）に調整自在に固定されているが、支持台６１を流体シリンダ６２を介してフレーム（図示せず）に取付け、ローラ６０の上下動が自在となる構成としてもよい。ベニヤレース（原木切削装置）によって単板を切削する場合、切削が進んで原木の中心に近づくにつれて原木の直径は小さくなるため、切削された単板は、原木の中心部に近い部分ほど曲率半径も小さく強いカールとなる。そのため、このような構成とすれば、曲率半径が大きい緩やかなカール部分が搬送されている間は、図１７に示すように、流体シリンダ６２によって支持台６１を上昇位置に待機させておき、曲率半径が小さい強いカール部分が搬送されてきたときのみ、図１８に示すように、流体シリンダ６２によって支持台６１を所定の下降位置まで下降させて単板を屈曲させることができる。そのため、カールの矯正が必要である部分のみを効率よく矯正することができ、第一突刺ロール３０、第二突刺ロール４０、ローラ６０などの部品の摩耗を軽減することができる。
【００４４】
なお、本実施形態では、第一突刺ロール３０の下流側の外周縁と、第二突刺ロール４０の上流側の外周縁とが、右側面から見た場合、搬送方向において交差するように配置されているものとして説明したが、第一仮想線Ｘと第二仮想線Ｙとが搬送方向において交差するように配置されているものであれば、互いの外周縁同士が交差するものでなくてもよい。
【００４５】
また、本実施形態では、単板のカール矯正装置がガイド部材を有するものとして説明したが、このようなガイド部材を有しないものであってもよい。
【００４６】
また、本実施形態では、第二仮想線Ｙの接線Ｆ−Ｆと単板当接面５０ａとのなす角Ｑは１５０度に設定しているが、突刺体４０から単板１００を剥がすことができる角度であれば異なる角度でもよい。ただし、単板１００を壊すことなく突刺体４０ａから剥がすためには１２０度から１７０度の鈍角とすることが好ましい。
【００４７】
また、本実施形態では、二つの搬入コンベア１０が適宜間隔をあけて並列に配置されているものとして説明したが、これに限られるものではなく、一つの搬入コンベアでもよく、または三つ以上の搬入コンベアを配置してもよい。
【００４８】
さらに、本実施形態では、二つの排出コンベア２０が適宜間隔をあけて並列に配置されているものとして説明したが、これに限られるものではなく、一つの排出コンベアでもよく、または三つ以上の排出コンベアを配置してもよい。
【符号の説明】
【００４９】
１，２００，３００・・単板のカール矯正装置、１０・・搬入コンベア、１１，２１・・搬送ベルト、１２，２２・・ホイール、２０・・排出コンベア、３０・・第一突刺ロール（第一搬送部材）、３０ａ，３５ａ，４０ａ，４５ａ・・突刺体、３１，４１・・回転軸、３２，４２・・軸受け、４０・・第二突刺ロール（第二搬送部材）、４３・・台、５０・・ハガシ（第一抜針部材）、５０ａ，５１ａ・・単板当接面、５１・・ハガシ（第二抜針部材）、６０・・ローラ（第一押圧部材、第二押圧部材、ガイド部材）、６０ａ，６２ａ・・第一単板押圧部（第一押圧部材）、６０ｂ，６２ｂ・・第二単板押圧部（第二押圧部材）、６０ｃ，６２ｃ・・ガイド面（ガイド部材）、６１・・支持台、６２・・円弧部材、６３・・第一押圧ローラ（第一押圧部材）、６４・・第二押圧ローラ（第二押圧部材）、６５・・ガイドローラ（ガイド部材）、１００・・単板、１０１・・原木、１０２・・切削刃物、２０１・・駆動ローラ、  ２０２ａ，２０２ｂ・・従動ローラ、２１５，３１５・・屈曲部、３０１・・植針チェーン、３０２・・抜針部材、３０３・・水平支持部材、３０４ａ，３０４ｂ・・押圧ローラ。
【図１】
2015107561.tif 000003
【図２】
2015107561.tif 000004
【図３】
2015107561.tif 000005
【図４】
2015107561.tif 000006
【図５】
2015107561.tif 000007
【図６】
2015107561.tif 000008
【図７】
2015107561.tif 000009
【図８】
2015107561.tif 000010
【図９】
2015107561.tif 000011
【図１０】
2015107561.tif 000012
【図１１】
2015107561.tif 000013
【図１２】
2015107561.tif 000014
【図１３】
2015107561.tif 000015
【図１４】
2015107561.tif 000016
【図１５】
2015107561.tif 000017
【図１６】
2015107561.tif 000018
【図１７】
2015107561.tif 000019
【図１８】
2015107561.tif 000020
【図１９】
2015107561.tif 000021
【図２０】
2015107561.tif 000022
【図２１】
2015107561.tif 000023
【図２２】
2015107561.tif 000024